(57)【特許請求の範囲】
【請求項１】
ヒンジ（８０１）であって、
外周面、開放端、および少なくとも部分的に閉じられ開口（８１７）を備えた他の端部（８１１）を有する円筒形状の缶状部（８０３）であって、前記外周面はそこに形成された少なくとも１つの穴（８２１）を有するもの、
前記缶状部内に位置し軸方向に突出するタブを有する第１の端部および前記缶状部の前記開口を通って突出し略半円形断面を有する第２の端部を含むカムホロワ（８０７）、
前記缶状部内に配置され略円筒形状のカム（８０９）であって、該カムは前記カムホロワの第１の端部と接触するカム部分を有する第１の端部を含み、前記カムは更に平坦なリング面を有する第２の端部を含むもの、
前記缶状部の内周面に軸方向に形成されたガイド溝と、前記カムの外面上に軸方向に形成されかつ前記缶状部のガイド溝にスライド可能にはめ込まれるレール部分とによって構成され、前記カムの前記缶状部に対する回転を防止するため前記カムを前記缶状部に固定するための手段（４１７，４３７）、
前記缶状部内に配置されたばね（８１３）であって、該ばねの第１の端部は前記カムの第２の端部と接触しているもの、そして
前記開放端を覆いかつ前記ばねの第２の端部と接触するキャップ（８０５）であって、該キャップは少なくとも１つのアーム（８２３）を含みかつ前記少なくとも１つのアームが前記少なくとも１つの穴（８２１）内へとラッチされることにより前記缶状部の外周面に取外し可能に取付けられ、それによって前記カムホロワ、前記カムおよび前記ばねを前記缶状部内に固定すると共に前記ばねによって前記カムに圧縮力を及ぼし前記カムが前記カムホロワに押圧されるもの、
を具備することを特徴とするヒンジ（８０１）。
【請求項２】
無線電話（１００）であって、
本体部（１０１）、
カバー（１０３）、そして
前記本体部および前記カバーと結合され、前記本体部および前記カバーをある軸に沿って結合するヒンジ（８０１）であって、該ヒンジは、
外周面、開放端、および少なくとも部分的に閉じられ開口（８１７）を備えた他の端部（８１１）を有する円筒形状の缶状部（８０３）、
前記缶状部内に位置し軸方向に突出するタブを有する第１の端部を含みかつ前記缶状部の前記開口を通して突出し略半円形断面を有する第２の端部を含むカムホロワ（８０７）、
前記缶状部内に配置され略円筒形状のカム（８０９）であって、該カムは前記カムホロワの第１の端部と接触するカム部分を有する第１の端部を含み、前記カムは更に平坦なリング面を有する第２の端部を含むもの、
前記缶状部の内周面に軸方向に形成されたガイド溝と、前記カムの外面上に軸方向に形成されかつ前記缶状部のガイド溝にスライド可能にはめ込まれるレール部分とによって構成され、前記カムの前記缶状部に対する回転を防止するため前記カムを前記缶状部に固定するための手段（４１７，４３７）、
前記缶状部内に配置されたばね（８１３）であって、該ばねの第１の端部は前記カムの第２の端部と接触しているもの、そして
前記開放端を覆いかつ前記缶状部の外周面に取外し可能に固定されかつ前記ばねの第２の端部と接触し、それによって前記カムホロワ、前記カムおよび前記ばねを前記缶状部内に固定すると共に前記ばねによって前記カムに圧縮力を及ぼし前記カムが前記カムホロワに押圧されるもの、
を含む前記ヒンジ、
を具備することを特徴とする無線電話（１００）。
【請求項３】
前記缶状部（８０３）は前記缶状部を受けるよう形成された前記カバー（１０３）の空洞（３０７）内に該空洞の形状と適合するよう構成されていることを特徴とする請求項２に記載の無線電話（１００）。
【請求項４】
前記カムホロワ（８０７）は更に前記第２の端部を受けるよう形成された前記本体部（１０１）の空洞（５０３）内に該空洞の形状と適合するよう構成された第２の端部を含むことを特徴とする請求項２に記載の無線電話（１００）。
【請求項５】
無線電話（１００）のカバー（１０３）および本体部（１０１）を結合するためのヒンジ（３０１）であって、該ヒンジは、
前記缶状部を受けるよう形成された前記カバー（１０３）の空洞（３０７）内に該空洞の形状と適合するよう構成された円筒形状の缶状部（３０３）であって、該缶状部は開放端とそこに形成された少なくとも１つの穴（４３５）を備えた外周面（４６３）と閉じられた他の端部とを含むもの、
前記開放端に配置され、かつ前記缶状部の外側に伸び略半円形断面を有するヘッド（４１３）を含むカムホロワ（４０３）であって、前記ヘッド（４１３）は前記ヘッドを受けるよう形成された前記本体部（１０１）の空洞（５０３）内に該空洞の形状と適合するよう構成されているもの、
前記缶状部内に配置され略円筒形状のカム（４０４）であって、該カムは前記カムホロワの第１の端部と接触するカム部分を有する第１の端部を含み、該カムは更に平坦なリング面を有する第２の端部を含むもの、
前記缶状部の内周面に軸方向に形成されたガイド溝と、前記カムの外面上に軸方向に形成されかつ前記缶状部のガイド溝にスライド可能にはめ込まれるレール部分とによって構成され、前記カムの前記缶状部に対する回転を防止するため前記カムを前記缶状部に固定するための手段（４１７，４３７）、
前記缶状部内に配置されたばね（４０５）であって、該ばねの第１の端部は前記カムの第２の端部と接触しておりかつ前記ばねの第２の端部は前記閉じられた端部と接触しているもの、
前記開放端を覆いかつ少なくとも１つのアーム（４０９）を含みかつ前記少なくとも１つのアームが前記少なくとも１つの穴（４３５）内にラッチされることにより前記缶状部の外周面に取外し可能に固定されたキャップ（３０５）であって、該キャップはそこに形成された開口、および前記本体部の空洞（５０３）内へと該開口を通して突出するヘッド（４１３）を有し、前記キャップは前記カムホロワ、前記カムおよび前記ばねを前記缶状部内に固定すると共に前記ばねによって前記カムに圧縮力を及ぼし前記カムが前記カムホロワに押圧されるもの、
を具備することを特徴とする無線電話（１００）のカバー（１０３）および本体部（１０１）を結合するためのヒンジ（３０１）。
【請求項６】
無線電話（１００）のカバー（１０３）および本体部（１０１）を結合するためのヒンジ（８０１）であって、
円筒形状の缶状部（８０３）であって、該缶状部（８０３）は該缶状部を受けるよう形成されたカバーの空洞（３０７）内に該空洞の形状と適合するよう構成され、前記缶状部は部分的に閉じられ開口（８１７）を備えた端部（８１１）および開放端を含みかつそこに形成された少なくとも１つの穴（８２１）を備えた外周面を有するもの、
前記部分的に閉じられた端部側に配置され、かつ前記部分的に閉じられた端部の開口を通して伸び略半円形断面を有するヘッドを含むカムホロワ（８０７）であって、前記ヘッドは前記ヘッドを受けるよう形成された前記本体部の空洞（５０３）内に該空洞の形状と適合するよう構成されているもの、
前記カムホロワに隣接して配置される前記缶状部内のカム（８０９）、
前記缶状部の内周面に軸方向に形成されたガイド溝と、前記カムの外面上に軸方向に形成されかつ前記缶状部のガイド溝にスライド可能にはめ込まれるレール部分とによって構成され、前記カムの前記缶状部に対する回転を防止するため前記カムを前記缶状部に固定するための手段（４１７，４３７）、
前記カムおよび前記開放端の間に配置された前記缶状部内のばね（８１３）、そして
前記開放端を覆いかつ少なくとも１つのアーム（８２３）を含みかつ前記少なくとも１つのアームが前記少なくとも１つの穴（８２１）内にラッチされることにより前記缶状部の前記外周面に取外し可能に固定されたキャップ（８０５）、
を具備することを特徴とする無線電話（１００）のカバー（１０３）および本体部（１０１）を結合するためのヒンジ（８０１）。
【請求項７】
ヒンジ（３０１）であって、
そこに形成された少なくとも１つの穴（４３５）を備えた外周面、開放端および閉じられた端部を有する円筒形状の缶状部（３０３）、
前記缶状部内に位置し軸方向に突出するタブを有する第１の端部を含みかつ略半円形断面を有する第２の端部を含むカムホロワ（４０３）、
前記缶状部内に配置され略円筒形状のカム（４０４）であって、該カムは前記カムホロワの第１の端部と接触するカム部分を有する第１の端部を含み、該カムは更に平坦なリング面を有する第２の端部を含むもの、
前記缶状部の内周面に軸方向に形成されたガイド溝と、前記カムの外面上に軸方向に形成されかつ前記缶状部のガイド溝にスライド可能にはめ込まれるレール部分とによって構成され、前記缶状部に対する前記カムの回転を防止するため前記カムを前記缶状部に固定するための手段（４１７，４３７）、
前記缶状部内に配置されたばね（４０５）であって、該ばねの第１の端部は前記カムの第２の端部と接触しかつ前記ばねの第２の端部は前記閉じられた端部と接触しているもの、そして
前記開放端を覆いその中に形成された開口を有しかつ少なくとも１つのアーム（４０９）を含みかつ前記少なくとも１つのアームが前記少なくとも１つの穴（４３５）内にラッチされることにより前記缶状部の外周面に取外し可能に固定されるキャップ（３０５）であって、前記カムホロワの第２の端部は前記開口を通して突出し、前記カムホロワ、前記カムおよび前記ばねを前記缶状部内に固定すると共に前記ばねによって前記カムに圧縮力を及ぼし前記カムが前記カムホロワに押圧されるもの、
を具備することを特徴とするヒンジ（３０１）。
【請求項８】
無線電話（１００）であって、
本体部（１０１）、
カバー（１０３）、そして
前記本体部（１０１）および前記カバー（１０３）と結合され、前記本体部と前記カバーをある軸に沿って結合するためのヒンジ（３０１）であって、該ヒンジは、
そこに形成された少なくとも１つの穴（４３５）を備えた外周面、開放端、および閉じられた端部を有する円筒形状の缶状部（３０３）、
前記缶状部内に位置し軸方向に突出するタブを有する第１の端部を含みかつ略半円形断面を有する第２の端部を含むカムホロワ（４０３）、
前記缶状部内に配置され略円筒形状のカム（４０４）であって、該カムは前記カムホロワの第１の端部と接触するカム部分を有する第１の端部を含み、該カムは更に平坦なリング面を有する第２の端部を含むもの、
前記缶状部の内周面に軸方向に形成されたガイド溝と、前記カムの外面上に軸方向に形成されかつ前記缶状部のガイド溝にスライド可能にはめ込まれるレール部分とによって構成され、前記缶状部に対する前記カムの回転を防止するため前記カムを前記缶状部に固定するための手段（４１７，４３７）、
前記缶状部内に配置されたばね（４０５）であって、該ばねの第１の端部は前記カムの第２の端部と接触し、かつ該ばねの第２の端部は前記閉じられた端部と接触しているもの、そして
そこに形成された開口を有し前記開放端を覆いかつ少なくとも１つのアーム（４０９）を含みかつ前記少なくとも１つのアームが前記少なくとも１つの穴にラッチされることにより前記缶状部の外周面に取外し可能に固定されるキャップ（３０５）であって、前記カムホロワの第２の端部は前記開口を通して突出し、前記カムホロワ、前記カムおよび前記ばねを前記缶状部内に固定すると共に前記ばねによって前記カムに圧縮力を及ぼし前記カムが前記カムホロワに押圧されるもの、
を含む前記ヒンジ、
を具備することを特徴とする無線電話（１００）。
【発明の詳細な説明】
【０００１】
【発明の属する技術分野】
本発明は一般的には折りたたみ可能な携帯用無線電話の分野に関し、かつより特定的には折りたたみ可能な携帯用無線電話のハウジングをヒンジ結合する装置に関する。
【０００２】
【従来の技術】
携帯用セルラ電話はユーザが事実上任意の位置で無線システムによって電話で通信できるようにするためますます使用されてきている。携帯用電話は低電力の無線周波信号を受信ステーションに送信し、該受信ステーションは伝統的な陸線電話システムと接続できる。
【０００３】
二つのハウジングを有し該ハウジングが互いに折りたたむことができるようにするある種のヒンジによって結合された携帯用セルラ無線電話が技術的に知られている。いくつかの知られた折りたたみ無線電話は大部分の電子回路を、本体と呼ばれる、一つのハウジング内に有する。カバーと称される、他方のハウジングは通常本体より少ない電子部品を含む。他の知られた折りたたみ無線電話は全ての電子回路を本体内に有し、従ってカバーは電子回路を含まない。
【０００４】
いくつかの知られた携帯用セルラ無線電話は、図７に示されるように、カバー７０６の端部に形成された管状のヒンジアーム７２４内に配置されたばね７４２およびヒンジピン７３６，７４８を有するヒンジ機構、および本体部７１２内に形成されたブッシング７６０を使用する。ばね７４２はヒンジピン７３６，７４８の間に配置され、かつ常にヒンジピン７３６，７４８をカバー７０６から本体部７１２へと外側に押しやる。そのような知られた無線電話の例はＰＣＴ公報第ＷＯ９３／１８５９２号、１９９３年９月１６日発行、および米国特許第５，２７４，８８２号、１９９４年１月４日発行、に記載されている。
【０００５】
【発明が解決しようとする課題】
いくつかの折りたたみ無線電話にとっては適切であるかもしれないが、そのようなヒンジ機構は全ての折りたたみ無線電話にとって適切なものではない。知られた折りたたみ無線電話は比較的大きくかつ前記ばねの外側に向けられた圧縮力を支えるために十分な大きさおよび材料の強度を持っている。さらに、それらの比較的大きなハウジングのため、小さなヒンジ要素は無線電話のハウジング内に容易に組み込むことができる。しかしながら、折りたたみ可能な無線電話の超小型化の進展によりより柔軟なハウジングが使用されている。その結果、それらのハウジングは知られたヒンジ機構により及ぼされるばねの力のもとで変形することがある。さらに、小さなハウジングはヒンジ要素をより小さな無線電話のハウジングに組み込むことをより困難にする。
【０００６】
従って、超小型化され、折りたたみ可能な無線電話のハウジングを結合する装置の必要性が存在する。
【０００７】
【課題を解決するための手段】
本発明によれば、ヒンジ（８０１）が提供され該ヒンジは、外周面、開放端、および少なくとも部分的に閉じられ開口（８１７）を備えた他の端部（８１１）を有する円筒形状の缶状部（８０３）であって、前記外周面はそこに形成された少なくとも１つの穴（８２１）を有するもの、前記缶状部内に位置し軸方向に突出するタブを有する第１の端部および前記缶状部の前記開口を通って突出し略半円形断面を有する第２の端部を含むカムホロワ（８０７）、前記缶状部内に配置され略円筒形状のカム（８０９）であって、該カムは前記カムホロワの第１の端部と接触するカム部分を有する第１の端部を含み、前記カムは更に平坦なリング面を有する第２の端部を含むもの、前記缶状部の内周面に軸方向に形成されたガイド溝と、前記カムの外面上に軸方向に形成されかつ前記缶状部のガイド溝にスライド可能にはめ込まれるレール部分とによって構成され、前記カムの前記缶状部に対する回転を防止するため前記カムを前記缶状部に固定するための手段（４１７，４３７）、前記缶状部内に配置されたばね（８１３）であって、該ばねの第１の端部は前記カムの第２の端部と接触しているもの、そして前記開放端を覆いかつ前記ばねの第２の端部と接触するキャップ（８０５）であって、該キャップは少なくとも１つのアーム（８２３）を含みかつ前記少なくとも１つのアームが前記少なくとも１つの穴（８２１）内へとラッチされることにより前記缶状部の外周面に取外し可能に取付けられ、それによって前記カムホロワ、前記カムおよび前記ばねを前記缶状部内に固定すると共に前記ばねによって前記カムに圧縮力を及ぼし前記カムが前記カムホロワに押圧されるもの、を具備することを特徴とする。
【０００８】
さらに、本発明によれば無線電話（１００）が提供され該無線電話は、本体部（１０１）、カバー（１０３）、そして前記本体部および前記カバーと結合され、前記本体部および前記カバーをある軸に沿って結合するヒンジ（８０１）であって、該ヒンジは、外周面、開放端、および少なくとも部分的に閉じられ開口（８１７）を備えた他の端部（８１１）を有する円筒形状の缶状部（８０３）、前記缶状部内に位置し軸方向に突出するタブを有する第１の端部を含みかつ前記缶状部の前記開口を通して突出し略半円形断面を有する第２の端部を含むカムホロワ（８０７）、前記缶状部内に配置され略円筒形状のカム（８０９）であって、該カムは前記カムホロワの第１の端部と接触するカム部分を有する第１の端部を含み、前記カムは更に平坦なリング面を有する第２の端部を含むもの、前記缶状部の内周面に軸方向に形成されたガイド溝と、前記カムの外面上に軸方向に形成されかつ前記缶状部のガイド溝にスライド可能にはめ込まれるレール部分とによって構成され、前記カムの前記缶状部に対する回転を防止するため前記カムを前記缶状部に固定するための手段（４１７，４３７）、前記缶状部内に配置されたばね（８１３）であって、該ばねの第１の端部は前記カムの第２の端部と接触しているもの、そして前記開放端を覆いかつ前記缶状部の外周面に取外し可能に固定されかつ前記ばねの第２の端部と接触し、それによって前記カムホロワ、前記カムおよび前記ばねを前記缶状部内に固定すると共に前記ばねによって前記カムに圧縮力を及ぼし前記カムが前記カムホロワに押圧されるもの、を含む前記ヒンジ、を具備することを特徴とする。
【０００９】
また、前記缶状部（８０３）は前記缶状部（８０３）は前記缶状部を受けるよう形成された前記カバー（１０３）の空洞（３０７）内に該空洞の形状と適合するよう構成することができる。
【００１０】
さらに、前記カムホロワ（８０７）は更に前記第２の端部を受けるよう形成された前記本体部（１０１）の空洞（５０３）内に該空洞の形状と適合するよう構成された第２の端部を含むと好都合である。
【００１１】
また、本発明によれば無線電話（１００）のカバー（１０３）および本体部（１０１）を結合するためのヒンジ（３０１）が提供され、該ヒンジは、前記缶状部を受けるよう形成された前記カバー（１０３）の空洞（３０７）内に該空洞の形状と適合するよう構成された円筒形状の缶状部（３０３）であって、該缶状部は開放端とそこに形成された少なくとも１つの穴（４３５）を備えた外周面（４６３）と閉じられた他の端部とを含むもの、前記開放端に配置され、かつ前記缶状部の外側に伸び略半円形断面を有するヘッド（４１３）を含むカムホロワ（４０３）であって、前記ヘッド（４１３）は前記ヘッドを受けるよう形成された前記本体部（１０１）の空洞（５０３）内に該空洞の形状と適合するよう構成されているもの、前記缶状部内に配置され略円筒形状のカム（４０４）であって、該カムは前記カムホロワの第１の端部と接触するカム部分を有する第１の端部を含み、該カムは更に平坦なリング面を有する第２の端部を含むもの、前記缶状部の内周面に軸方向に形成されたガイド溝と、前記カムの外面上に軸方向に形成されかつ前記缶状部のガイド溝にスライド可能にはめ込まれるレール部分とによって構成され、前記カムの前記缶状部に対する回転を防止するため前記カムを前記缶状部に固定するための手段（４１７，４３７）、前記缶状部内に配置されたばね（４０５）であって、該ばねの第１の端部は前記カムの第２の端部と接触しておりかつ前記ばねの第２の端部は前記閉じられた端部と接触しているもの、前記開放端を覆いかつ少なくとも１つのアーム（４０９）を含みかつ前記少なくとも１つのアームが前記少なくとも１つの穴（４３５）内にラッチされることにより前記缶状部の外周面に取外し可能に固定されたキャップ（３０５）であって、該キャップはそこに形成された開口、および前記本体部の空洞（５０３）内へと該開口を通して突出するヘッド（４１３）を有し、前記キャップは前記カムホロワ、前記カムおよび前記ばねを前記缶状部内に固定すると共に前記ばねによって前記カムに圧縮力を及ぼし前記カムが前記カムホロワに押圧するよう構成できる。
【００１２】
さらに、本発明によれば無線電話（１００）のカバー（１０３）および本体部（１０１）を結合するためのヒンジ（８０１）が提供され該ヒンジは、円筒形状の缶状部（８０３）であって、該缶状部（８０３）は該缶状部を受けるよう形成されたカバーの空洞（３０７）内に該空洞の形状と適合するよう構成され、前記缶状部は部分的に閉じられ開口（８１７）を備えた端部（８１１）および開放端を含みかつそこに形成された少なくとも１つの穴（８２１）を備えた外周面を有するもの、前記部分的に閉じられた端部側に配置され、かつ前記部分的に閉じられた端部の開口を通して伸び略半円形断面を有するヘッドを含むカムホロワ（８０７）であって、前記ヘッドは前記ヘッドを受けるよう形成された前記本体部の空洞（５０３）内に該空洞の形状と適合するよう構成されているもの、前記カムホロワに隣接して配置される前記缶状部内のカム（８０９）、前記缶状部の内周面に軸方向に形成されたガイド溝と、前記カムの外面上に軸方向に形成されかつ前記缶状部のガイド溝にスライド可能にはめ込まれるレール部分とによって構成され、前記カムの前記缶状部に対する回転を防止するため前記カムを前記缶状部に固定するための手段（４１７，４３７）、前記カムおよび前記開放端の間に配置された前記缶状部内のばね（８１３）、そして前記開放端を覆いかつ少なくとも１つのアーム（８２３）を含みかつ前記少なくとも１つのアームが前記少なくとも１つの穴（８２１）内にラッチされることにより前記缶状部の前記外周面に取外し可能に固定されたキャップ（８０５）、を具備することを特徴とする。
【００１３】
また、本発明によればヒンジ（３０１）が提供され該ヒンジは、そこに形成された少なくとも１つの穴（４３５）を備えた外周面、開放端および閉じられた端部を有する円筒形状の缶状部（３０３）、前記缶状部内に位置し軸方向に突出するタブを有する第１の端部を含みかつ略半円形断面を有する第２の端部を含むカムホロワ（４０３）、前記缶状部内に配置され略円筒形状のカム（４０４）であって、該カムは前記カムホロワの第１の端部と接触するカム部分を有する第１の端部を含み、該カムは更に平坦なリング面を有する第２の端部を含むもの、前記缶状部の内周面に軸方向に形成されたガイド溝と、前記カムの外面上に軸方向に形成されかつ前記缶状部のガイド溝にスライド可能にはめ込まれるレール部分とによって構成され、前記缶状部に対する前記カムの回転を防止するため前記カムを前記缶状部に固定するための手段（４１７，４３７）、前記缶状部内に配置されたばね（４０５）であって、該ばねの第１の端部は前記カムの第２の端部と接触しかつ前記ばねの第２の端部は前記閉じられた端部と接触しているもの、そして前記開放端を覆いその中に形成された開口を有しかつ少なくとも１つのアーム（４０９）を含みかつ前記少なくとも１つのアームが前記少なくとも１つの穴（４３５）内にラッチされることにより前記缶状部の外周面に取外し可能に固定されるキャップ（３０５）であって、前記カムホロワの第２の端部は前記開口を通して突出し、前記カムホロワ、前記カムおよび前記ばねを前記缶状部内に固定すると共に前記ばねによって前記カムに圧縮力を及ぼし前記カムが前記カムホロワに押圧されるもの、を具備することを特徴とする。
【００１４】
さらに、本発明によれば無線電話（１００）が提供され該無線電話は、本体部（１０１）、カバー（１０３）、そして前記本体部（１０１）および前記カバー（１０３）と結合され、前記本体部と前記カバーをある軸に沿って結合するためのヒンジ（３０１）であって、該ヒンジは、そこに形成された少なくとも１つの穴（４３５）を備えた外周面、開放端、および閉じられた端部を有する円筒形状の缶状部（３０３）、前記缶状部内に位置し軸方向に突出するタブを有する第１の端部を含みかつ略半円形断面を有する第２の端部を含むカムホロワ（４０３）、前記缶状部内に配置され略円筒形状のカム（４０４）であって、該カムは前記カムホロワの第１の端部と接触するカム部分を有する第１の端部を含み、該カムは更に平坦なリング面を有する第２の端部を含むもの、前記缶状部の内周面に軸方向に形成されたガイド溝と、前記カムの外面上に軸方向に形成されかつ前記缶状部のガイド溝にスライド可能にはめ込まれるレール部分とによって構成され、前記缶状部に対する前記カムの回転を防止するため前記カムを前記缶状部に固定するための手段（４１７，４３７）、前記缶状部内に配置されたばね（４０５）であって、該ばねの第１の端部は前記カムの第２の端部と接触し、かつ該ばねの第２の端部は前記閉じられた端部と接触しているもの、そしてそこに形成された開口を有し前記開放端を覆いかつ少なくとも１つのアーム（４０９）を含みかつ前記少なくとも１つのアームが前記少なくとも１つの穴にラッチされることにより前記缶状部の外周面に取外し可能に固定されるキャップ（３０５）であって、前記カムホロワの第２の端部は前記開口を通して突出し、前記カムホロワ、前記カムおよび前記ばねを前記缶状部内に固定すると共に前記ばねによって前記カムに圧縮力を及ぼし前記カムが前記カムホロワに押圧されるもの、を含む前記ヒンジ、を具備することを特徴とする。
【００１７】
【発明の実施の形態】
以下の詳細な説明は例示的なものおよび例示的なもののみであり、かつ特許請求された本発明を制限するものではない。添付の図面は本発明の一つの実施形態を示しており以下の説明とともに本発明の原理を説明する働きをなす。次に本発明の好ましい実施形態に関し詳細に説明する。
【００１８】
本発明の折りたたみ可能な携帯用無線電話１００の例示的な実施形態が図１および図２に示されている。該携帯用無線電話１００は基本的には二つの容易に明らかな部分、すなわち本体部１０１およびカバー１０３を有する。図１はカバー１０３を「開かれた」位置で示し、無線電話１００のユーザがイアピース１０５を介して聴取することができ、かつマイクロホン１０７に話すことができる。図２はカバー１０３が「閉じられた」位置にある状態を示す。本体部１０１はよく知られた電話配置で１〜０，＃，および＊と番号づけられた複数のボタンを有するキーパッド１０９を含む。キーパッド１０９はまた、電源、機能、送信、および電話番号の再呼出しに関連する他のボタンのような、付加的なボタンを持つことができる。本体部１０１はまた無線電話１００とセルラ無線電話システムのベースステーション（図示せず）との間で無線通信を可能にするアンテナ２０１を有する。本体部１０１はさらに無線電話１００を周辺装置、例えば、バッテリ充電器および外部アンテナ、キーパッド、スピーカ、またはマイクロホンと接続できるようにするポート１１１を含む。
【００１９】
本実施形態で使用されているようにかつ図３を参照すると、ヒンジ３０１はカバー１０３を本体部１０１に結合している。後に詳細に説明する、ヒンジ３０１は図３の斜視図では完全に組み立てられて示されておりかつ図４の斜視図では分解されて示されている。回転軸に沿って見た閉じられた無線電話１００の断面斜視図である、図５に示されるように、組み立てられたヒンジ３０１はカバー１０３の空洞３０７および本体部１０１の空洞５０３内に配置されている。カバー１０３の一方の側に配置されたヒンジ３０１はカバー１０３を開かれたまたは閉じられた位置に保持する。アイドラシャフト５０５がカバー１０３の空洞５０７および本体部１０１の空洞５０９内に、カバー１０３の反対側に配置されている。
【００２０】
ヒンジ３０１の設計はカバー１０３が、図２および図５に示されるように、閉じられた位置においてキーパッド１０９に対して保持できるようにし、かつ、図１および図６に示されるように、開かれた位置において鈍角（例えば、Θ：シータは１４８度に等しい）に保持できるようにする。さらに、本設計はカバー１０３の開きすぎ（ｏｖｅｒｔｒａｖｅｌ）を可能にする（例えば、Θは１７６度に等しい）。カバー１０３の回転の間にカバー１０３を開かれたおよび閉じられた位置に向けてまたは該位置から逆に付勢し、かつカバー１０３を開かれたまたは閉じられた位置に留まらせるように付勢するためのよく理解された従来技術のより詳細な理解のためにＰＣＴ公報第ＷＯ９３／１８５９２号を参照されたい。
【００２１】
本発明の好ましい実施形態の他の利点はヒンジ３０１によって本体部１０１およびカバー１０３上に軸方向の力が及ぼされないことである。これは、図３に示されるように、缶状部（ｃａｎ）３０３内に付勢機構（後に説明する）を部分的に配置しかつキャップ３０５を缶状部３０３に取り付けて前記付勢機構を固定することによって達成される。したがって、ヒンジ３０１は軸方向に向けられたばね力を含む自己包含または自蔵構造である。
【００２２】
本発明の好ましい実施形態の他の利点はヒンジ３０１を構成する要素が無線電話のハウジングと独立に組み立てできることである。ヒンジ３０１の組み立ての後に、ヒンジ３０１を無線電話のハウジング内に配置する場合には、個々の部品ではなく、組み立てられたヒンジ３０１が組立装置または組立者によって取り扱われる。
【００２３】
この発明の詳細につき以下に説明する。本発明の好ましい実施形態に係わるヒンジ３０１、カバー１０３、および本体部１０１の構造および組み立てにつき説明する。
【００２４】
図４に示されるように、ヒンジ３０１はプラスチック材料から構成された缶状部３０３を含む。缶状部３０３は概略的に円筒形状の、中空の、一端で閉じられ、かつ他端で開かれたものである。
【００２５】
缶状部３０３は該缶状部３０３の外部面４６３上に形成されたキー３２１を含む。キー３２１は直線的（ｒｅｃｔｉｌｉｎｅａｒ）形状でありかつ前記開かれた端部で始まり、かつ缶状部３０３の高さのほぼ半分まで伸びている。キー３２１はほぼ面４６３と相交わる平坦な面４２５を有し、かつ平坦な面４２７と該平坦な面４２７の側部から伸びて面４６３と接する平坦な面４３１，４３３を有する。図３に示されるように、キー３２１はヒンジ３０１を空洞３０７内に挿入された時にカバー１０３に対して整列させるために使用され、前記空洞３０７は缶状部３０３を受け入れる形状とされ、かつカバー１０３に対し缶状部３０３を回転可能に固定する。従って、カバー１０３が回転された時、缶状部３０３はそれとともに回転する。
【００２６】
スロット４２３は面４６３に形成されかつほぼ方形の形状である。スロット４２３は前記開放端で始まりかつ缶状部３０３の高さのほぼ半分まで伸びている。それらはもし平坦部４２５が面４６３と交差すれば形成されるラインから９０度および１８０度で互いに反対側に配置されている。各スロット４２３のほぼ中央に面４６３から缶状部３０３の内面４６５まで伸びる穴４３５が形成されている。
【００２７】
ガイド部４３７が面４６５に形成されかつほぼ方形の形状である。それらは前記開放端で始まりかつ缶状部３０３のほぼ高さ全体にわたり伸びている。それらは前記平坦面４２５が面４６３と交差すれば形成されるラインから２０度および２００度で互いに反対側に配置されている。
【００２８】
ヒンジ３０１はまたカバー１０３の回転の間にカバー１０３を開かれたおよび閉じられた位置にまたは逆に付勢し、かつカバー１０３を開かれたまたは閉じられた位置に留めるよう付勢する付勢機構を含む。該付勢機構は図４に示されるようにばね４０５、カム４０４、およびカムホロワ４０３を具備し、軸方向の力を発生しかつ軸方向の力を回転方向の力に変換しカバーを開かれたおよび閉じられた位置に留めかつ、さらに、カバーを該カバーの回転の間に開かれたおよび閉じられた位置へとまたはその逆に付勢する。
【００２９】
ばね４０５は金属で構成されかつらせん形状であり、外側の直径は前記缶状部３０３の内径より小さい。図５に示されるように、ばね４０５は前記缶状部３０３内に配置される。ばね４０５は缶状部３０３内で回転しかつ軸方向にスライドできる。さらに、ばね４０５は缶状部３０３の閉じられた端部の内面と回転可能に接触する一端、およびカム４０４の一端と回転可能に接触する他端を有する。ばね４０５の内径、長さ、およびばね定数はカム４０４に対し適切な軸方向の圧縮力を維持する。
【００３０】
カム４０４は金属から構成されかつほぼ円筒形状でありかつ中空である。カム４０４の外径は缶状部３０３の内径より小さく、従って、カム４０４は缶状部３０３内で軸方向にスライドできる。一端はばね４０５と回転可能に接触する平坦なリング面４３９である。他端はカムホロワ４０３とスライド可能に接触するプロフィール４１９を備えた形状である。
【００３１】
カム４０４はその外面４６７上に形成されたレール４１７を有する。レール４１７はほぼ方形形状でありかつ互いに反対側の位置に配置される。それらは面４３９のエッジで始まりかつ前記プロフィール面４１９から所定の距離まで伸びている。レール４１７はガイド部４３７と軸方向にスライド可能に接触しており、従って缶状部３０３内のカム４０４の軸方向の移動を案内する。レール４１７および缶状部３０３のガイド部４３７はまた缶状部３０３に対しカム４０４を整列させかつカム４０４を缶状部３０３に対し回転可能に固定する。従って、缶状部３０３が回転する時、カム４０４もそれとともに回転する。
【００３２】
カムホロワ４０３は単一片の固体または中実（ｓｏｌｉｄ）の金属から構成される。カムホロワ４０３は４つの独特の一体化部分、すなわちタブ４１５、中間部分４４３、段差部４４５、およびヘッド部４１３を有する。
【００３３】
中間部分４４３はほぼ円板形状でありかつ缶状部３０３の内径より小さな直径を有する中実体である。その結果、中間部分４４３は缶状部３０３内で軸方向にスライドできる。中間部分４４３は一端に平坦な円形面４４７を有しかつ他端に平坦な円形面４５７を有する。
【００３４】
段差部（Ｓｔｅｐ）４４５は中間部４４３の直径より小さな直径を有するほぼ円板形状となっている。段差部４４５の一端は面４４７と接触しかつ同心となっている。他端はヘッド部４１３と接触する平坦な半円形面４４９を有する。
【００３５】
ヘッド部４１３はほぼ円筒形状であり直径は段差部４４５の直径と等しく、かつシリンダの半分は切り取られて面４４９に垂直な平坦面４６１を形成している。ヘッド部４１３の一方の平坦な半円形の端部は面４４９と隣接または接触しており、かつヘッド部４１３の外周および段差部４４５は整列されている。ヘッド部４１３の他端は徐々に先細になった面４５１を有し、ヘッド部４１３の円筒面からヘッド部４１３の端部における平坦な半円形面４４９まで伸びている。
【００３６】
図５に示されるように、先細になった面４５１はヒンジ３０１を本体部１０１の空洞５０３内に整列させる上での助けとなり、これはヘッド部４１３を受け入れるような形状とされている。さらに、空洞５０３の平坦な内側壁５１１および平坦な面４６１はカムホロワ４０３を本体部１０１に回転可能に固定するためにキーイング要素（ｋｅｙｉｎｇ  ｅｌｅｍｅｎｔｓ）として作用する。
【００３７】
タブ４１５はほぼ方形の形状である。それは面４５７と隣接しかつ垂直に配置され、かつ中間部分４４３の直径の幅に整列しかつ伸びている。タブ４１５は該タブ４１５の平坦な面４６９が面４６１と平行になるように向けられている。タブ４１５は丸くなったエッジへと先細になった自由端４４１を有する。
【００３８】
図５に示されるように、タブ４１５および中間部分４４３は缶状部３０３内に位置している。缶状部３０３の内側面４６５はタブ４１５のエッジおよび中間部分４４３の外周面と回転可能にかつスライドできるよう接触している。さらに、タブ４１５の端部４４１はカム４０４のプロフィール４１９とスライド可能に接触している。
【００３９】
従って、カバー１０３が回転された時、缶状部３０３およびカム４０４はカバー１０３とともに回転し、かつプロフィール４１９は後に説明するように軸方向に固定された、自由端４４１上で回転可能にスライドする。さらに、カバー１０３が回転すると、カム４０４はプロフィール４１９に従って、ばね４０５の圧縮力のもとで、缶状部３０３内で軸方向に移動する。
【００４０】
ヒンジ３０１は最終的には図４に示されるように単一片の金属で構成されたキャップ３０５を含む。キャップ３０５は頭部４５３および２つのアーム４０９を有する。
【００４１】
頭部４５３はほぼ平坦なリングであり内径が段差部４４５の直径より大きくかつ外径がほぼ缶状部３０３の直径と等しい。頭部４５３は平坦な、リング形状の面４５５を有する。
【００４２】
アーム４０９はほぼ方形の形状である。各アーム４０９の一端は頭部４５３のエッジに取り付けられ、かつ各アームは面４５５に垂直である。アーム４０９は対向する位置にあってお互いから１８０度に位置している。アーム４０９を構成する金属から打ち抜かれた、かかり部（Ｂａｒｂｓ）４１１はアーム４０９の他端の近くに位置している。
【００４３】
図４および図５に示されるように、ヒンジ３０１が組み立てられた時、頭部４５３の内径は段差部４４５の外周と回転可能にかつスライドできるよう接触しており、アーム４０９は缶状部３０３のスロット４２３内に位置し、かつかかり部４１１は穴４３５内にラッチされる。該かかり部およびアームは頭部４５３を回転可能に缶状部３０３に固定し、その結果キャップ３０５はカバー１０３とともに回転する。
【００４４】
重要なことは、穴４３５にラッチしているかかり部４１１はまたキャップ３０５を軸方向に缶状部３０３に固定することである。缶状部３０３とキャップ３０５の連結構造のため、圧縮ばね４０５によって発生される軸方向に向けられた力は缶状部３０３とキャップ３０５によって支えられる。図５に示されるように、キャップ３０５が缶状部３０５上に配置された時、キャップ３０３は面４５５を介してカムホロワ４０３を軸方向に固定し軸方向に向けられた力を段差部４４５の面４４７上に与える。従って、キャップ３０５によって支持されたカムホロワ４０３はばね４０５と反対側に力を及ぼしカム４０４上に圧縮力が及ぼされる。
【００４５】
このように構成することにより、本実施形態は従来技術に対し数多くの利点を提供する。例えば、ヒンジ３０１はそれ自身の構造の中にバネ４０５の圧縮力を含んでいるから、無線電話１００のハウジングに軸方向に向けられた力は及ぼされない。さらに、ヒンジ３０１は自蔵式（ｓｅｌｆ−ｃｏｎｔａｉｎｅｄ）のものであるから、ヒンジ３０１を構成する小さな部品はハウジングと独立に組み立てることができ、かつ組み立てられたヒンジは単にハウジングの空洞内に挿入するだけでよい。従って、ヒンジ３０１は組立の誤りを生じる機会はほとんどなしに非常に迅速に導入できる。
【００４６】
当業者は本発明の範囲または精神から離れることなく、本発明の無線電話においてかつこの無線電話の構造において種々の修正及び変更を行なうことができることを認識するであろう。
【００４７】
例えば、アイドラシャフト５０５を他のヒンジ３０１で置き換えることができ、従ってカバー１０３と本体部１０１とを結合するために二つのヒンジを持つようにすることができる。カバーを付勢するために他の形式の及び構造の付勢機構を使用することができる。ヒンジ３０１の要素は任意の適切な材料、例えば、プラスチックまたは金属、とすることができる。前記キーイング要素の形状は各要素を整列させ、かつ固定するのに適した他の形状とすることができる。キーイング要素の位置は前記ヒンジ要素の協働によって無線電話１００の所望の開かれた及び閉じられた位置が与えられる限り変更することができる。
【００４８】
さらに、無線電話１００のヒンジ３０１は図８に示されるヒンジ８０１と置き換えることできる。ヒンジ８０１は開放端及び部分的に閉じられた端部８１１を有する缶状部８０３、前記開放端に取り付けられたキャップ８０５、缶状部８０３に配置された一端及び前記部分的に閉じられた端部８１１と接触する他の端部を有するカムホロワ８０７を含む付勢機構、缶状部８０３に配置されたカム８０９を含み、カム８０９は一端が前記カムホロワの端部と接触し、カム８０９はさらに他端を有する。前記ヒンジ８０１はさらに缶状部８０３内に配置され、一端がカムの他端と接触し、かつ他端がキャップ８０５と接触するばね８１３を有する。ばね８１３は軸方向の力を発生する。カムホロワ８０７はカム８０７の平坦な面８１５及び部分的に閉じられた端部８１１内の開口８１７によって形成されるキーイング要素によって缶状部８０３に回転可能に固定されている。キャップ８０５は穴８２１内にラッチされたかかり部８１９及びスロット８２５に配置されたアーム８２３によって缶状部８０３に回転可能に固定される。重要なことは、穴８２１内にラッチしているかかり部８１９はまたキャップ８０５を軸方向に缶状部８０３に固定することである。
【００４９】
【発明の効果】
従って、本発明によれば、折りたたみ可能な携帯用無線電話などに使用して好適な、超小型かつ自蔵式のヒンジ機構が実現される。該ヒンジ機構は超小型の無線電話等に使用してもハウジングを変形させる等の不都合はなく、ハウジングへの組み込みをきわめて迅速かつ容易に行なうことができるようになる。
【図面の簡単な説明】
【図１】本発明に従って構成された無線電話を開かれた位置で示す斜視図である。
【図２】本発明に従って構成された図１の無線電話を閉じられた位置で示す斜視図である。
【図３】本発明に従って構成された組立て済みのヒンジを示す斜視図である。
【図４】図３に示されたヒンジ装置の分解図である。
【図５】図２に示された無線電話をその回転軸に沿って見た断面斜視図である。
【図６】図１に示される無線電話をその回転軸に沿って見た断面斜視図である。
【図７】知られたた無線電話の分解斜視図である。
【図８】本発明に従って構成された他の組立て済みのヒンジを示す断面斜視図である。
【符号の説明】
１００  折りたたみ可能な携帯用無線電話
１０１  本体部
１０３  カバー
１０５  イアピース
１０７  マイクロホン
１０９  キーパッド
１１１  ポート
２０１  アンテナ
３０１，８０１  ヒンジ
３０３，８０３  缶状部
３０５，８０５  キャップ
３０７  空洞
３２１  キー
４０３  カムホロワ
４０４  カム
４０５  ばね
４０９，８２３  アーム
４１１，８１９  かかり部
４３５，８２１  穴
【図１】
0003883607.tif 000002
【図２】
0003883607.tif 000003
【図３】
0003883607.tif 000004
【図４】
0003883607.tif 000005
【図５】
0003883607.tif 000006
【図６】
0003883607.tif 000007
【図７】
0003883607.tif 000008
【図８】
0003883607.tif 000009